(57)【特許請求の範囲】
【請求項１】
筐体と、
前記筐体に対して開閉可能な棒金収納庫と、
前記棒金収納庫に収納されている棒金に関する収納棒金本数を取得する情報取得部と、
前記棒金収納庫内に収納されるべき棒金の本数である収納予定棒金本数を設定する操作表示部と、
前記操作表示部から設定された前記収納予定棒金本数を記憶する記憶部と、
補充処理を行うための補充モードにおいて、前記収納棒金本数と前記記憶部に記憶された収納予定棒金本数とを比較し、前記収納棒金本数と前記収納予定棒金本数との差が許容範囲内であるかを判断する制御部と、
を備えたことを特徴とする棒金収納装置。
【請求項２】
前記収納棒金本数と前記収納予定棒金本数との差が許容範囲外である場合に前記制御部が異常処理を行う、又は、前記収納棒金本数と前記収納予定棒金本数との差が許容範囲内である場合に前記制御部が正常処理を行うことを特徴とする請求項１に記載の棒金収納装置。
【請求項３】
前記異常処理は、異常が発生した旨の情報を出力することを含むことを特徴とする請求項２に記載の棒金収納装置。
【請求項４】
前記棒金収納庫を前記筐体に対してロックするロック部をさらに備え、
前記異常処理は、前記ロック部によって前記棒金収納庫を前記筐体に対してロックしないことを含むことを特徴とする請求項２又は３のいずれかに記載の棒金収納装置。
【請求項５】
前記異常処理は、前記筐体に対して前記棒金収納庫を開放することを特徴とする請求項２乃至４のいずれか１項に記載の棒金収納装置。
【請求項６】
前記棒金収納庫は、複数の棒金収納部を有し、
複数の棒金収納部が存在する金種に対して、前記棒金収納部に収納されている棒金の本数が予め設定された下限を下回る場合に、前記制御部が当該金種の棒金が不足していることを出力することを特徴とする請求項１乃至５のいずれか１項に記載の棒金収納装置。
【請求項７】
前記制御部は、前記収納棒金本数が前記収納予定棒金本数よりも許容範囲を超えて大きいかを通常処理を行っている間に判断することを特徴とする請求項１乃至６のいずれか１項に記載の棒金収納装置。
【請求項８】
前記棒金収納庫は、複数の棒金収納部を有し、
前記収納予定棒金本数として設定可能な棒金の金種及び棒金の本数の上限は、前記棒金収納部で収納可能な棒金の金種及び棒金の本数であることを特徴とする請求項１乃至７のいずれか１項に記載の棒金収納装置。
【請求項９】
前記記憶部に記憶された前記収納予定棒金本数は自動で更新されることを特徴とする請求項１乃至８のいずれか１項に記載の棒金収納装置。
【請求項１０】
前記収納予定棒金本数又は前記許容範囲を入力する入力部をさらに備えたことを特徴とする請求項１乃至９のいずれか１項に記載の棒金収納装置。
【請求項１１】
操作者を判断する操作者判断部をさらに備え、
前記操作者判断部からの情報に基づき所定の権限を有する操作者であると判断された場合にのみ、前記入力部から前記収納予定棒金本数又は前記許容範囲を入力できることを特徴とする請求項１０に記載の棒金収納装置。
【請求項１２】
前記制御部は、前記収納棒金本数が前記収納予定棒金本数よりも小さい場合に、前記収納予定棒金本数と前記収納棒金本数との差分を不足情報として出力することを特徴とする請求項１乃至１１のいずれか１項に記載の棒金収納装置。
【請求項１３】
ＰＯＳレジスタ又はバラ貨幣を処理する貨幣処理装置と、
筐体と、前記筐体に対して開閉可能な棒金収納庫と、前記棒金収納庫に収納された棒金に関する収納棒金本数を取得する情報取得部と、前記棒金収納庫内に収納されるべき棒金の本数である収納予定棒金本数を設定する操作表示部と、前記操作表示部から設定された前記収納予定棒金本数を記憶する記憶部とを有する棒金収納装置と、
を備え、
補充処理を行うための補充モードにおいて、前記収納棒金本数と前記記憶部に記憶された収納予定棒金本数とを比較し、前記収納棒金本数と前記収納予定棒金本数との差が許容範囲内であるかを判断することを特徴とする貨幣処理システム。
【請求項１４】
前記収納棒金本数と前記収納予定棒金本数との差が許容範囲外である場合に異常処理を行い、
前記異常処理は、異常が発生した旨の情報を出力することを含み、
前記ＰＯＳレジスタ又は前記貨幣処理装置が、異常が発生した旨の情報を報知することを特徴とする請求項１３に記載の貨幣処理システム。
【請求項１５】
筐体と、前記筐体に対して開閉可能な棒金収納庫と、前記棒金収納庫に収納されている棒金に関する収納棒金本数を取得する情報取得部と、を含む棒金収納装置を用いた処理方法であって、
補充処理を行うための補充モードにおいて、前記棒金収納庫内に収納されるべき棒金の本数である収納予定棒金本数を設定することと、
記憶部に収納予定棒金本数を記憶させることと、
前記収納棒金本数と前記収納予定棒金本数とを比較し、前記収納棒金本数と前記収納予定棒金本数との差が許容範囲内であるかを判断することと、
を備えたことを特徴とする処理方法。
【発明の詳細な説明】
【技術分野】
【０００１】
本発明は、棒金を収納する棒金収納装置、このような棒金収納装置を備えた貨幣処理システム、及び、このような棒金収納装置を用いた処理方法に関する。
【背景技術】
【０００２】
従来から、筐体と、筐体に対し引き出しおよび収納可能に設けられるとともに、セットされる棒金の金種が予め設定されたセット部を金種別に有する棒金収納庫と、棒金収納庫のすべての棒金収納部に設けられて棒金の有無をそれぞれ検知する棒金有無検知手段と、これら棒金有無検知手段の出力に基づいて棒金の在り高を管理する管理手段とを有する棒金収納装置が知られている（特許文献１参照）。
【先行技術文献】
【特許文献】
【０００３】
【特許文献１】特許第５００９０００号公報
【発明の概要】
【発明が解決しようとする課題】
【０００４】
しかしながら、特許文献１に開示されたような従来の棒金収納装置では、棒金収納庫内に収納されるべき棒金の本数と、実際に棒金収納庫に収納されている棒金との関係は何ら管理されていない。このため、例えば店舗又は売り場もしくは曜日等で運用を変えようとしても、運用の変化に対応することができない。
【０００５】
本発明は、このような点を鑑みてなされたものであり、棒金収納庫内に収納されるべき棒金の本数と、実際に棒金収納庫に収納されている棒金との関係を管理することができる棒金収納装置、貨幣処理システム及び処理方法を提供する。
【課題を解決するための手段】
【０００６】
本発明による棒金収納装置は、
筐体と、
前記筐体に対して開閉可能な棒金収納庫と、
前記棒金収納庫に収納されている棒金に関する収納棒金本数を取得する情報取得部と、
前記棒金収納庫内に収納されるべき棒金の本数である収納予定棒金本数を設定する操作表示部と、
前記操作表示部から設定された前記収納予定棒金本数を記憶する記憶部と、
補充処理を行うための補充モードにおいて、前記収納棒金本数と前記記憶部に記憶された収納予定棒金本数とを比較し、前記収納棒金本数と前記収納予定棒金本数との差が許容範囲内であるかを判断する制御部と、
を備える。
【０００９】
本発明による棒金収納装置において、
前記収納棒金本数と前記収納予定棒金本数との差が許容範囲外である場合に前記制御部が異常処理を行う、又は、前記収納棒金本数と前記収納予定棒金本数との差が許容範囲内である場合に前記制御部が正常処理を行ってもよい。
【００１０】
本発明による棒金収納装置において、
前記異常処理は、異常が発生した旨の情報を出力することを含んでもよい。
【００１１】
本発明による棒金収納装置は、
前記棒金収納庫を前記筐体に対してロックするロック部をさらに備え、
前記異常処理は、前記ロック部によって前記棒金収納庫を前記筐体に対してロックしないことを含んでもよい。
【００１２】
本発明による棒金収納装置において、
前記異常処理は、前記筐体に対して前記棒金収納庫を開放してもよい。
【００１３】
本発明による棒金収納装置において、
前記棒金収納庫は、複数の棒金収納部を有し、
複数の棒金収納部が存在する金種に対して、前記棒金収納部に収納されている棒金の本数が予め設定された下限を下回る場合に、前記制御部が当該金種の棒金が不足していることを出力してもよい。
【００１４】
本発明による棒金収納装置において、
前記制御部は、前記収納棒金本数が前記収納予定棒金本数よりも許容範囲を超えて大きいかを通常処理を行っている間に判断してもよい。
【００１５】
本発明による棒金収納装置において、
前記棒金収納庫は、複数の棒金収納部を有し、
前記収納予定棒金本数として設定可能な棒金の金種及び棒金の本数の上限は、前記棒金収納部で収納可能な棒金の金種及び棒金の本数であってもよい。
【００１６】
本発明による棒金収納装置において、
前記記憶部に記憶された前記収納予定棒金本数は自動で更新されてもよい。
【００１７】
本発明による棒金収納装置は、
前記収納予定棒金本数又は前記許容範囲を入力する入力部をさらに備えてもよい。
【００１８】
本発明による棒金収納装置は、
操作者を判断する操作者判断部をさらに備え、
前記操作者判断部からの情報に基づき所定の権限を有する操作者であると判断された場合にのみ、前記入力部から前記収納予定棒金本数又は前記許容範囲を入力できてもよい。
【００１９】
本発明による棒金収納装置において、
前記制御部は、前記収納棒金本数が前記収納予定棒金本数よりも小さい場合に、前記収納予定棒金本数と前記収納棒金本数との差分を不足情報として出力してもよい。
【００２０】
本発明による貨幣処理システムは、
ＰＯＳレジスタ又はバラ貨幣を処理する貨幣処理装置と、
筐体と、前記筐体に対して開閉可能な棒金収納庫と、前記棒金収納庫に収納された棒金に関する収納棒金本数を取得する情報取得部と、前記棒金収納庫内に収納されるべき棒金の本数である収納予定棒金本数を設定する操作表示部と、前記操作表示部から設定された前記収納予定棒金本数を記憶する記憶部とを有する棒金収納装置と、
を備え、
補充処理を行うための補充モードにおいて、前記収納棒金本数と前記記憶部に記憶された収納予定棒金本数とを比較し、前記収納棒金本数と前記収納予定棒金本数との差が許容範囲内であるかを判断してもよい。
【００２１】
本発明による貨幣処理システムにおいて、
前記収納棒金本数と前記収納予定棒金本数との差が許容範囲外である場合に異常処理を行い、
前記異常処理は、異常が発生した旨の情報を出力することを含み、
前記ＰＯＳレジスタ又は前記貨幣処理装置が、異常が発生した旨の情報を報知してもよい。
【００２２】
本発明による処理方法は、
筐体と、前記筐体に対して開閉可能な棒金収納庫と、前記棒金収納庫に収納されている棒金に関する収納棒金本数を取得する情報取得部と、を含む棒金収納装置を用いた処理方法であって、
補充処理を行うための補充モードにおいて、前記棒金収納庫内に収納されるべき棒金の本数である収納予定棒金本数を設定することと、
記憶部に収納予定棒金本数を記憶させることと、
前記収納棒金本数と前記収納予定棒金本数とを比較し、前記収納棒金本数と前記収納予定棒金本数との差が許容範囲内であるかを判断することと、
を備える。
【発明の効果】
【００２３】
本発明によれば、棒金収納庫内に収納されるべき棒金の本数と、実際に棒金収納庫に収納されている棒金との関係を管理することができる。
【図面の簡単な説明】
【００２４】
【図１】図１は、本発明の実施の形態による貨幣処理システムの一部を示す斜視図である。
【図２】図２は、本発明の実施の形態による貨幣処理システムの構成を示す概略構成図である。
【図３】図３は、本発明の実施の形態による貨幣処理システムの構成を簡略化して示した制御ブロック図である。
【図４】図４は、本発明の実施の形態による貨幣処理システムの構成を示した制御ブロック図である。
【図５】図５は、本発明の実施の形態で用いられる棒金収納装置の構成を示した制御ブロック図である。
【図６】図６は、本発明の実施の形態の変形例による貨幣処理システムの構成を示す概略構成図である。
【図７】図７は、本発明の実施の形態で行われる補充処理の一例を示したフローである。
【図８】図８は、本発明の実施の形態で用いられる表示部で表示される画像の一例を示した図である。
【図９】図９は、本発明の実施の形態で用いられる表示部で表示される画像の別の例を示した図である。
【図１０】図１０（ａ）−（ｃ）は、本発明の実施の形態における記憶工程の一例を説明するための図である。
【図１１】図１１（ａ）−（ｃ）は、本発明の実施の形態における記憶工程の一例を説明するための図であって、図１０（ｃ）に続く図である。
【発明を実施するための形態】
【００２５】
《構成》
以下、本発明に係る貨幣処理装置、貨幣処理システム及び処理方法の実施の形態について、図面を参照して説明する。ここで、図１乃至図１１は本発明の実施の形態を説明するための図である。なお、本願において「貨幣」とは「硬貨」、「紙幣」又は「硬貨」及び「紙幣」の両方のことを意味する。したがって、本願の「貨幣処理装置」は、「硬貨処理装置１００」、「紙幣処理装置２００」、又は、「硬貨処理装置１００」及び「紙幣処理装置２００」の両方のことを意味する。なお、以下では、貨幣処理装置１００，２００が硬貨処理装置１００及び紙幣処理装置２００の両方を含む態様を用いて説明する。
【００２６】
本願の貨幣処理システムは、棒金を収納するための棒金ドロア（特許請求の範囲の「棒金収納庫」に対応する。）５０６を有する棒金管理装置５００を備えている（図１及び図２参照）。本願の貨幣処理システムは、硬貨処理装置１００、紙幣処理装置２００及び棒金管理装置５００のいずれか１つ以上に接続されたＰＯＳレジスタ３００、パソコン、サーバ４００等を備えてもよい。なお、硬貨処理装置１００、紙幣処理装置２００及び棒金管理装置５００の各々が別体となっていてもよいが、これら硬貨処理装置１００、紙幣処理装置２００及び棒金管理装置５００のうちのいずれか２つ以上は一体となってもよい。このため、硬貨処理装置１００と紙幣処理装置２００とは、別体となっていてもよいし一体となっていてもよい。また、硬貨処理装置１００と棒金管理装置５００とは、別体となっていてもよいし一体となっていてもよい。なお、本実施の形態で「外部装置」という文言が用いられた場合は、対象となっている装置以外の装置のことを意味する。
【００２７】
本実施の形態では、硬貨処理装置１００、紙幣処理装置２００、棒金管理装置５００、ＰＯＳレジスタ３００及びサーバ（例えば店舗サーバ）４００を備えた貨幣処理システムを用いて説明する。
【００２８】
図２乃至図４に示すように、本実施の形態のＰＯＳレジスタ３００はサーバ４００に通信接続されている。そして、ＰＯＳレジスタ３００からサーバ４００に売上金情報等の情報が送信されるようになっている。また、各種設定情報等の情報が、サーバ４００からＰＯＳレジスタ３００（複数台でも可）に送信されるようになっている。なお、本実施の形態における「通信接続」には、有線での接続のみではなく無線での接続も含まれている。
【００２９】
図３及び図４に示すように、硬貨処理装置１００は、硬貨処理装置１００の一部や紙幣処理装置２００の一部等を制御する上位制御部１０１と、硬貨処理装置１００を制御する硬貨制御部１０２とを有しており、これら上位制御部１０１及び硬貨制御部１０２は通信接続されている。また、紙幣処理装置２００は、紙幣処理装置２００を制御する紙幣制御部２０２を有しており、この紙幣制御部２０２は硬貨処理装置１００の上位制御部１０１に通信接続されている。また、棒金収納装置５００は、棒金収納装置５００を制御する棒金制御部５０２を有しており、この棒金制御部５０２は硬貨処理装置１００の上位制御部１０１に通信接続されている。また、図４に示すように、ＰＯＳレジスタ３００は、ＰＯＳレジスタ３００を制御するＰＯＳ制御部３０２を有しており、このＰＯＳ制御部３０２は硬貨処理装置１００の上位制御部１０１に通信接続されている。
【００３０】
そして、硬貨処理装置１００において硬貨の入金処理、出金処理、精査処理、回収処理等の様々な処理を行うと、硬貨処理装置１００の硬貨識別部１５０（図２参照）で識別された結果は硬貨処理装置１００からＰＯＳレジスタ３００に出力されて、当該結果が後述するＰＯＳ表示部３５１で表示される。また、紙幣処理装置２００において紙幣の入金処理、出金処理、精査処理、回収処理等の様々な処理を行うと、紙幣処理装置２００の紙幣識別部２５０で識別された結果も紙幣処理装置２００から上位制御部１０１を介してＰＯＳレジスタ３００に出力されて、当該結果がＰＯＳ表示部３５１で表示される。また、棒金収納装置５００から出力される棒金の有無に関する情報、棒金の金種に関する情報等も棒金収納装置５００から上位制御部１０１を介してＰＯＳレジスタ３００に出力されて、当該情報がＰＯＳ表示部３５１で表示される。
【００３１】
以下、紙幣処理装置２００、硬貨処理装置１００、棒金収納装置５００及びＰＯＳレジスタ３００の構成について、説明する。
【００３２】
《紙幣処理装置２００》
まず、本実施の形態の紙幣処理装置２００の構成について説明する。ちなみに、本実施の形態の紙幣処理装置２００は、スーパー、コンビニエンスストア、ショッピングモール、百貨店等の様々な場所で利用され、紙幣の入出金処理を行う紙幣釣銭機となっている。ところで、紙幣処理装置２００としてはこのような紙幣釣銭機には限られることはなく、例えば紙幣入金機、紙幣出金機、券売機、自動販売機等も含まれる。
【００３３】
図２に示すように、紙幣処理装置２００は、略直方体形状の紙幣筐体２０３と、紙幣を紙幣筐体２０３の外部から入金するための紙幣受入部２１０と、紙幣受入部２１０から入金された紙幣を搬送する紙幣搬送部２２０と、紙幣受入部２１０から入金された紙幣の金種等を識別して計数する紙幣識別部２５０と、紙幣搬送部２２０で搬送された紙幣を収納するとともに収納された紙幣を繰り出す紙幣収納部２６０と、リジェクト紙幣や紙幣収納部２６０に収納されていた紙幣を出金するための紙幣払出部２９０と、を備えている。なお、紙幣搬送部２２０は、図２に示すように、紙幣筐体２０３内の略中央部に設けられた環状の周回搬送部２２０ａと、紙幣受入部２１０、紙幣収納部２６０、紙幣払出部２９０等と、周回搬送部２２０ａとの間をそれぞれ接続する複数の接続搬送部２２０ｂとを有している。ちなみに、周回搬送部２２０ａに紙幣識別部２５０が設けられている。また、本実施の形態の紙幣収納部２６０は金種別に紙幣を収納する３つの金種別紙幣収納部２６１（２６１ａ，２６１ｂ，２６１ｃ）を有している。
【００３４】
紙幣受入部２１０は、紙幣が入金されると自動で又は後述する操作表示部１５２、ボタン式操作部１５３、ＰＯＳ操作部３５２等からの入力信号を受けて駆動されて当該紙幣を紙幣筐体２０３内に繰り出す入金紙幣操出部（図示せず）を有している。また、紙幣収納部２６０は、必要に応じて紙幣収納部２６０から紙幣を繰り出す出金紙幣繰出部（図示せず）を有している。
【００３５】
また、図２に示すように、紙幣搬送部２２０には、回収処理を行う際に紙幣収納部２６０から繰り出された紙幣を収納する回収カセット２３５が連結されている。なお、紙幣識別部２５０で識別された紙幣の金種を収納するための紙幣収納部２６０がフル（満杯）状態又はニアフル（ほぼ満杯）状態である場合には、この紙幣はオーバーフロー紙幣として、回収カセット２３５に収納される。
【００３６】
また、図２に示すように、紙幣搬送部２２０には、紙幣収納部２６０から繰り出された紙幣が紙幣識別部２５０によって識別できない場合に、当該紙幣（出金リジェクト紙幣）を収納する出金リジェクト部２３０が連結されている。
【００３７】
紙幣処理装置２００の各金種に関する在高は、対象となる金種別紙幣収納部２６１に収納された紙幣の枚数から当該金種別紙幣収納部２６１から繰り出された紙幣の枚数を差し引くことで算出可能となる。より具体的には、各金種別紙幣収納部２６１に対応して設けられた検知センサ２２５からの情報に基づいて対象となる金種別紙幣収納部２６１内に紙幣が収納されたことが検出され、他方、当該検知センサ２２５からの情報に基づいて対象となる金種別紙幣収納部２６１から紙幣が繰り出されたことが検出される。
【００３８】
なお、金種別紙幣収納部２６１の各々に、金種別紙幣収納部２６１内に収納されている紙幣の残量を検知する収容量検知センサ２６２（図４参照）が設けられてもよい。このような収容量検知センサ２６２が設けられている場合には、当該収容量検知センサ２６２からの情報を受けて金種別紙幣収納部２６１内において紙幣が、ニアフル状態なのか、フル状態なのか、ニアエンプティ（ほぼ空）状態なのか、エンプティ（空）状態なのかが紙幣制御部２０２で判断されるようにしてもよい。
【００３９】
各金種別紙幣収納部２６１内に収納されている紙幣の在高情報（紙幣の枚数）や紙幣の収納状態（ニアフル状態なのか、フル状態なのか、ニアエンプティ状態なのか、エンプティ状態なのか）は、硬貨処理装置１００の上位記憶部１５５（図４参照）に送られて当該上位記憶部１５５で記憶されてもよい。
【００４０】
各金種別紙幣収納部２６１は紙幣を例えば１００枚〜２００枚収納することができるようになっている。具体的な例を持ち出して説明すると、金種別紙幣収納部２６１ａは千円紙幣を２００枚収納することができ、金種別紙幣収納部２６１ｂは五千円紙幣を１００枚収納することができ、金種別紙幣収納部２６１ｃは一万円紙幣を２００枚収納することができるようになっている。ちなみに、オーバーフローした紙幣は、例えば２００枚までであれば回収カセット２３５に収納可能となる。
【００４１】
また、図２に示すように、検知センサ２２５は、出金リジェクト部２３０及び回収カセット２３５の各々に対応するようにも設けられており、当該検知センサ２２５からの情報に基づいて、出金リジェクト部２３０及び回収カセット２３５の各々に収納されている紙幣の枚数も検出できるようになっている。これら出金リジェクト部２３０及び回収カセット２３５の各々に収納されている紙幣の枚数に関する情報も、硬貨処理装置１００の上位記憶部１５５に送られて当該上位記憶部１５５で記憶されてもよい。ちなみに、本実施の形態では、紙幣受入部２１０及び紙幣払出部２９０にも対応して検知センサ２２５が設けられているが、この検知センサ２２５は紙幣受入部２１０で受け入れられた紙幣が当該検知センサ２２５を通過したか、また、紙幣払出部２９０から払い出されるべき紙幣が当該検知センサ２２５を通過したかを検知するために用いられる。
【００４２】
図４に示すように、紙幣処理装置２００の紙幣制御部２０２には、インターフェース２３２、紙幣受入部２１０、紙幣搬送部２２０、出金リジェクト部２３０、紙幣識別部２５０、紙幣収納部２６０、紙幣払出部２９０、収容量検知センサ２６２、検知センサ２２５等がそれぞれ接続されている。そして、紙幣制御部２０２は、紙幣受入部２１０、紙幣搬送部２２０、出金リジェクト部２３０、紙幣識別部２５０、紙幣収納部２６０、紙幣払出部２９０、収容量検知センサ２６２、検知センサ２２５等と信号の送受信を行い、これらを制御するように構成されている。なお、紙幣制御部２０２には、様々な情報を記憶する紙幣記憶部２０５と、カードに記録された情報を読み取るカードリーダ２７０と、紙幣収納部２６０、出金リジェクト部２３０、回収カセット２３５等の所定のユニットをロックしたり、紙幣収納部２６０、出金リジェクト部２３０、回収カセット２３５等の所定のユニットを解錠したりする電磁閉鎖ロック部２７５も接続されており、これらと信号の送受信を行い、これらを制御するように構成されている。
【００４３】
一例としては、本実施の形態の紙幣処理装置２００における紙幣の入金速度は２．５枚／秒であり、他方、紙幣の出金速度は２．０枚／秒である。また、一例として、紙幣受入部２１０に一度に投入可能な紙幣の枚数は２０枚であり、紙幣払出部２９０で一度に出金可能な紙幣の枚数は１０枚である。
【００４４】
また、本実施の形態の紙幣処理装置２００は自動精査すなわち自動在高確認動作ができるようになっていてもよい。つまり、操作表示部１５２、ＰＯＳ操作部３５２等から実行指示の入力を受けたり所定の設定時刻になったりすることで、紙幣処理装置２００は各金種別紙幣収納部２６１内に収納されている紙幣の計数を開始し、実際の紙幣の在高が紙幣記憶部２０５等に記憶されている紙幣の在高と合致しているかを確認できるようなってもよい。
【００４５】
《硬貨処理装置１００》
次に、本実施の形態の硬貨処理装置１００の構成について説明する。ちなみに、本実施の形態の硬貨処理装置１００は、スーパー、コンビニエンスストア、ショッピングモール、百貨店等の様々な場所で利用され、硬貨の入出金処理を行う硬貨釣銭機となっている。ところで、硬貨処理装置１００としてはこのような硬貨釣銭機には限られることはなく、例えば硬貨入金機、硬貨出金機、券売機、自動販売機等も含まれる。
【００４６】
図４に示すように、本実施の形態の硬貨処理装置１００の上位制御部１０１には、インターフェース１３２と、操作表示部１５２と、物理的なボタン等からなるボタン式操作部１５３と、様々な情報を記憶する上位記憶部１５５が接続されており、これらと信号の送受信を行い、これらを制御するように構成されている。また、硬貨制御部１０２には、後述する、上位制御部１０１との間のインターフェース１３３、硬貨受入部１１０、入金硬貨搬送部１２０、硬貨識別部１５０、硬貨収納部１６０、振分部１２７，１２９、出金硬貨搬送部１８０、硬貨払出部１９０、硬貨が通過したことを検知する検知センサ１２４，１２５，１６５及び様々な情報を記憶する硬貨記憶部１０５等が接続されている。そして、上位制御部１０１は、操作表示部１５２、ボタン式操作部１５３及び上位記憶部１５５等と信号の送受信を行い、これらを制御するように構成されている。また、硬貨制御部１０２は、硬貨受入部１１０、入金硬貨搬送部１２０、硬貨識別部１５０、硬貨収納部１６０、振分部１２７，１２９、出金硬貨搬送部１８０、硬貨払出部１９０、検知センサ１２４，１２５，１６５及び硬貨記憶部１０５等と信号の送受信を行い、これらを制御するように構成されている。なお、硬貨制御部１０２には、カードに記録された情報を読み取るカードリーダ１７０と、硬貨収納部１６０等の所定のユニットをロックしたり、硬貨収納部１６０等の所定のユニットを解錠したりする電磁閉鎖ロック部１７５も接続されており、これらと信号の送受信を行い、これらを制御するように構成されている。
【００４７】
本実施の形態の硬貨処理装置１００は、図２に示すように、硬貨筐体１０３と、硬貨を硬貨筐体１０３の外部から入金するための硬貨受入部１１０と、硬貨筐体１０３内に設けられ、硬貨を収納するとともに収納された硬貨を繰り出す硬貨収納部１６０と、硬貨筐体１０３内において、硬貨受入部１１０から投入された硬貨を１枚ずつ硬貨収納部１６０まで入金経路に沿って搬送する入金硬貨搬送部１２０と、入金経路に沿って設けられ、入金硬貨搬送部１２０で搬送される硬貨を識別して計数する硬貨識別部１５０と、を備えている。また、図１に示すように、硬貨筐体１０３の上面には、操作者が操作信号を入力したり操作者に所定の情報を表示したりするための操作表示部１５２が設けられている。本実施の形態の操作表示部１５２はタッチパネルとなっており、操作表示部１５２に直接触れることで、操作者が操作信号を入力することができる。また、図１に示すように、硬貨入金口１１１には開閉自在のシャッター１１５が設けられてもよい。なお、操作表示部１５２は液晶ディスプレイ（ＬＣＤ）等からなってもよい。
【００４８】
図２に示すように、入金経路には、後述する金種別硬貨収納部１６１（つまり金種別硬貨収納部１６１ａ〜１６１ｆ）の各々に対応した検知センサ１２５と、当該検知センサ１２５からの情報を受けて各金種別硬貨収納部１６１に対応する金種の硬貨を振り分ける複数（本実施の形態では６つ）の入金振分部１２７が設けられている。各検知センサ１２５は、対応する金種別硬貨収納部１６１の上流位置に対応して設けられている。
【００４９】
また、図２に示すように、硬貨識別部１５０の下流位置であって硬貨収納部１６０の上流位置には、硬貨識別部１５０で金種等を識別することができなかった硬貨をリジェクト硬貨として振り分けるためのリジェクト振分部１２９が設けられている。
【００５０】
図２に示すように、リジェクト振分部１２９の直前の上流位置には検知センサ１２４が設けられている。そして、硬貨識別部１５０でリジェクト硬貨であると判断され、かつ、検知センサ１２４から硬貨が到達又は通過した旨の検知情報を受けた段階で、硬貨制御部１０２がリジェクト振分部１２９を開状態とし、リジェクト硬貨をリジェクト振分部１２９で取り込むようにしてもよい。なお、リジェクト振分部１２９が開状態となって当該リジェクト振分部１２９に取り込まれることで、硬貨は入金経路から外れ、リジェクト搬送経路（図示せず）を落下した後、後述する出金硬貨搬送部１８０によって硬貨払出部１９０まで送られることとなる。
【００５１】
図２に示すように、本実施の形態の硬貨処理装置１００は、硬貨収納部１６０から繰り出された硬貨を出金経路に沿って搬送する出金硬貨搬送部１８０と、出金経路に繰り出されて出金硬貨搬送部１８０で搬送された硬貨を出金する硬貨払出部１９０も備えている。
【００５２】
一例としては、本実施の形態の硬貨処理装置１００における硬貨の入金速度は約６枚／秒であり、他方、９９９円の硬貨（５００円１枚、１００円４枚、５０円１枚、１０円４枚、５円１枚及び１円４枚）を出金するのに約２．７秒かかる。また、一例として、硬貨受入部１１０に一度に投入可能な硬貨の枚数は５０枚であり、硬貨払出部１９０で一度に出金可能な硬貨の枚数は５０枚である。
【００５３】
本実施の形態の硬貨収納部１６０は、金種別に硬貨を収納する複数（本実施の形態では６つ）の金種別硬貨収納部１６１を有しており、各金種別硬貨収納部１６１が水平方向で並列に配置されている。金種別硬貨収納部１６１は、図２の下から順番に、５００円硬貨、１００円硬貨、５０円硬貨、１０円硬貨、５円硬貨及び１円硬貨を収納するようになっている。各金種別硬貨収納部１６１は、対応する硬貨を例えば１００枚〜２００枚程度収納することができる。より具体的な例を持ち出して説明すると、金種別硬貨収納部１６１ａは５００円硬貨を１０５枚収納することができ、金種別硬貨収納部１６１ｂは１００円硬貨を１６０枚収納することができ、金種別硬貨収納部１６１ｃは５０円硬貨を１２０枚収納することができ、金種別硬貨収納部１６１ｄは１０円硬貨を１６０枚収納することができ、金種別硬貨収納部１６１ｅは５円硬貨を１２０枚収納することができ、金種別硬貨収納部１６１ｆは１円硬貨を１６０枚収納することができるようになっている。
【００５４】
なお、金種別硬貨収納部１６１の各々は、硬貨を収納する金種別繰出収納庫と、金種別繰出収納庫内に収納された硬貨を出金経路に繰り出すための繰出部（図示せず）と、繰出部で繰り出される硬貨の枚数を検知する検知センサ１６５（図４参照）と、所定枚数の硬貨が繰り出された際にそれ以上の硬貨が繰り出されないように硬貨の繰り出しをストップさせるためのストッパ（図示せず）と、を有している。
【００５５】
本実施の形態では、硬貨処理装置１００の各金種に関する在高は、対象となる金種別硬貨収納部１６１に収納された硬貨の枚数から当該金種別硬貨収納部１６１から繰り出された硬貨の枚数を差し引くことで算出可能となる。金種別硬貨収納部１６１に収納された硬貨の枚数を算出する際には、具体的には、各金種別硬貨収納部１６１に対応して設けられた入金振分部１２７の上流位置の検知センサ１２５で硬貨の通過が確認されたが当該入金振分部１２７の下流位置の検知センサ１２５で硬貨の通過が確認されなかった場合に、当該入金振分部１２７で硬貨が取り込まれて、当該入金振分部１２７に対応する金種別硬貨収納部１６１に硬貨が収納されたと判断されて算出される。ただし、最も下流側に位置する金種別硬貨収納部１６１ｆに関しては、当該金種別硬貨収納部１６１ｆの直前に位置する検知センサ１２５を通過した硬貨の枚数が当該金種別硬貨収納部１６１ｆに収納された硬貨の枚数となる。他方、各金種別硬貨収納部１６１から繰り出された硬貨の枚数は検知センサ１６５からの情報に基づいて算出される。
【００５６】
なお、金種別硬貨収納部１６１の各々に、金種別硬貨収納部１６１内に収納されている硬貨の残量を検知する収容量検知センサ１６２が設けられてもよい（図４参照）。このような収容量検知センサ１６２が設けられている場合には、当該収容量検知センサ１６２からの情報を受けて金種別硬貨収納部１６１内において硬貨が、ニアフル状態なのか、フル状態なのか、ニアエンプティ状態なのか、エンプティ状態なのかが硬貨制御部１０２や上位制御部１０１で判断されるようにしてもよい。収容量検知センサ１６２は硬貨制御部１０２に接続されており、硬貨制御部１０２と信号の送受信を行い、硬貨制御部１０２によって制御される。
【００５７】
各金種別硬貨収納部１６１内に収納されている硬貨の在高情報（硬貨の枚数）や硬貨の収納状態（ニアフル状態なのか、フル状態なのか、ニアエンプティ状態なのか、エンプティ状態なのか）は、硬貨処理装置１００の上位記憶部１５５に送られて当該上位記憶部１５５で記憶されてもよい。
【００５８】
また、本実施の形態の硬貨処理装置１００は自動精査すなわち自動在高確認動作ができるようになっていてもよい。つまり、操作表示部１５２、ＰＯＳ操作部３５２等から実行指示の入力を受けたり所定の設定時刻になったりすることで、硬貨処理装置１００は各金種別硬貨収納部１６１内に収納されている硬貨の計数を開始し、実際の硬貨の在高が硬貨記憶部１０５等に記憶されている硬貨の在高と合致しているかを確認できるようなってもよい。精査処理を行う場合には、例えば、対象となっている金種別硬貨収納部１６１から硬貨が繰り出されて出金硬貨搬送部１８０によって硬貨払出部１９０まで送られ、このように硬貨払出部１９０に送られた硬貨を硬貨受入部１１０に投入して、硬貨識別部１５０で各硬貨を識別計数させればよい。
【００５９】
なお、図６に示すような補助収納部１９９を備えた硬貨処理装置１００を採用することもできる。このように補助収納部１９９を備えた硬貨処理装置１００であれば、操作表示部１５２、ＰＯＳ操作部３５２等からの入力を受けず、所定の設定時刻になると自動で精査処理を開始することもできる。この補助収納部１９９は入金経路の下方に配置されており、補助収納部１９９から硬貨を硬貨受入部１１０に繰り出すことができるようになっている。
【００６０】
補助収納部１９９は、出金経路に繰り出された硬貨のうち硬貨出金部１９０で出金されない硬貨を収納するために用いられる。そして、自動精査が行われる際の一例を示すと、硬貨収納部１６０のある金種別硬貨収納部１６１から硬貨が繰り出され、出金硬貨搬送部１８０で搬送された硬貨が補助収納部１９９内に取り込まれる。このように補助収納部１９９内に取り込まれた硬貨は、補助収納部１９９から硬貨受入部１１０に送られ、この硬貨受入部１１０から入金経路に繰り出され、硬貨識別部１５０で識別された後、元々繰り出された金種別硬貨収納部１６１に戻される。
【００６１】
ちなみに、上述したような補助収納部１９９を採用した場合には、ある金種別硬貨収納部１６１がフル状態又はニアフル状態となっており当該ある金種別硬貨収納部１６１に収納することができない硬貨（オーバーフロー硬貨）を当該補助収納部１９９に収納することもでき、例えば７０枚のオーバーフロー硬貨を補助収納部１９９で収納することができる。オーバーフロー処理が行われる際の一例を示すと、まず、硬貨受入部１１０から入金経路に硬貨が繰り出され、硬貨識別部１５０で識別されてフル状態又はニアフル状態の金種の硬貨であると判断されると、入金振分部１２６が開状態となり、当該金種の硬貨は入金振分部１２６で補助収納部１９９内に取り込まれ、補助収納部１９９内に収納される。そして、このようにして補助収納部１９９内に取り込まれたオーバーフロー硬貨を対象となる金種別硬貨収納部１６１に戻すときには、補助収納部１９９から硬貨入金部１１０に硬貨が送られ、当該硬貨は、この硬貨入金部１１０から入金経路に繰り出され、硬貨識別部１５０で識別された後、対応する金種別硬貨収納部１６１に振り分けられる。なお、このような入金振分部１２６が設けられている態様では、当該入金振分部１２６は硬貨制御部１０２に接続されており、硬貨制御部１０２と信号の送受信を行い、硬貨制御部１０２によって制御される。
【００６２】
《棒金収納装置５００》
次に、本実施の形態の棒金収納装置５００について説明する。
【００６３】
図２に示すように、本実施の形態の棒金収納装置５００は、棒金筐体（特許請求の範囲の「筐体」に対応する。）５０３と、棒金筐体５０３に対して開閉可能に設けられ、棒金を１本ずつ収納する棒金収納部５２０を複数個有する棒金ドロア５０６と、を備えている。本実施の形態の棒金収納部５２０は、それぞれ対応する金種の棒金が収納されるようになっていてもよい。また、使用される頻度が高く、出し入れされる頻度が高い金種（例えば１０円硬貨及び１００円硬貨）の棒金が、引出方向側（前方側）に配置されてもよい。図２で示す態様では、向かって右側の列には前方側から１００円硬貨棒金（８本）、５００円硬貨棒金（１本）及び５０円硬貨（１本）の順で棒金が収納されるようになっており、向かって左側の列には前方側から１０円硬貨棒金（６本）、１円硬貨棒金（４本）及び５円硬貨（１本）の順で棒金が収納されるようになっている。なお、各棒金収納部５２０は、対応する金種の棒金が収納されるようになっている必要はなく、あらゆる金種の棒金を収納することができるようになっていてもよい。
【００６４】
また、棒金ドロア５０６と棒金筐体５０３との間には、棒金制御部５０２に接続されたロータリエンコーダ（変位検出部）５１０（図５参照）が設けられており、棒金ドロア５０６の棒金筐体５０３に対する位置を検知することができるようになっていてもよい。加えて、左右２列に形成される棒金収納部５２０の並びに対応する位置の棒金筐体５０３内には第一光センサ５１１（図５参照）が設けられていてもよい。そして、第一光センサ５１１において光が遮断されるか否かに関する情報とロータリエンコーダ５１０からの位置情報とによって、棒金の有無を検知するだけでなく棒金の直径を検知することができ、棒金の金種の判定することができるようになっていてもよい。図２に示す態様では、棒金ドロア５０６の底面に開口部５２５が形成されており（図２参照）、この開口部５２５を第一光センサ５１１からの光が透過することになる。この態様を採用した場合には、第一光センサ５１１及びロータリエンコーダ５１０は、棒金ドロア５０６に収納されている棒金に関する収納棒金情報を取得する「棒金情報取得部」に含まれることになる。収納棒金情報には、典型的には棒金ドロア５０６に収納されている金種別の棒金本数が含まれるが、棒金ドロア５０６に収納されている棒金の総本数のみが含まれてもよいし、棒金ドロア５０６に棒金が収納されているか否かのみが含まれてもよい。なお、棒金の中央に穴が設けられているか（５円硬貨及び５０円硬貨を参照）を検知するための第二光センサ５１２（図５参照）が設けられていてもよく、この場合にはこの第二光センサ５１２も棒金情報取得部に含まれることになる。また、棒金ドロア５０６内に収納された棒金の全てを第一光センサ５１１で検知するために、棒金ドロア５０６が棒金筐体５０３に対して所定の位置以上に開いた状態になったかを検知する開放検知部（図示せず）が設けられてもよい。
【００６５】
ちなみに、棒金の有無を検知するだけならば例えばレバー５１３（図５参照）や第三光センサ５１４を各棒金収納部５２０に設け、当該レバー５１３が押された場合や第三光センサ５１４からの光が遮光された場合には当該棒金収納部５２０内に棒金が有ると判断され、レバー５１３が押されない場合や第三光センサ５１４からの光が遮光されない場合には当該棒金収納部５２０内に棒金が無いと判断されるようにしてもよい。この場合には、レバー５１３及び第三光センサ５１４も棒金情報取得部に含まれることになる。
【００６６】
また、上述したような態様に限られることはなく、棒金筐体５０３内に走査可能な走査センサ５１５（図５参照）が設けられており、棒金ドロア５０６を棒金筐体５０３に対して閉まっている間に当該走査センサ５１５が棒金筐体５０３内を走査することで棒金ドロア５０６に収納されている棒金の直径を検知し、棒金の有無を検知するだけでなく、棒金の金種を判定することができるようになっていてもよい。このような走査センサ５１５による検知は、棒金ドロア５０６が棒金筐体５０３に対して閉じられた後で自動で開始されてもよいが、棒金ドロア５０６が棒金筐体５０３に対して閉じられた後で操作表示部１５２やＰＯＳ操作部３５２等から所定の入力が行われることで開始されてもよい。この態様を採用した場合には、走査センサ５１５が「棒金情報取得部」に含まれることになる。この場合にも、棒金の中央に穴が設けられているかを検知するための第二光センサ５１２が設けられていてもよく、この場合にはこの第二光センサ５１２も棒金情報取得部に含まれることになる。
【００６７】
また、各棒金収納部５２０に棒金が収納されているか、また、収納されている棒金の材質を検知する材質検知センサ５１６（図５参照）が設けられており、この材質検知センサ５１６からの情報に基づいて、各棒金収納部５２０における棒金の有無及び棒金の金種の判定することができるようになっていてもよい。この態様を採用した場合には、材質検知センサ５１６が「棒金情報取得部」に含まれることになる。この場合にも、棒金の中央に穴が設けられているかを検知するための第二光センサ５１２が設けられていてもよく、この場合には第二光センサ５１２も棒金情報取得部に含まれることになる。この態様では、棒金ドロア５０６を棒金筐体５０３に対して開閉したり、閉じた状態にしたりせずとも、各棒金収納部５２０に収納されている棒金の金種を検出することができる。ちなみに、１円硬貨はアルミニウムからなり、５円硬貨は黄銅からなり、１０円硬貨は青銅からなり、５０円硬貨及び１００円硬貨は白銅からなり、５００円硬貨はニッケル黄銅からなっている。棒金の金種を検知する際には、硬貨の材質で概ねの区別を行い、その後で、穴の有無を（場合によっては硬貨の径も）用いて棒金の金種を決定すればよい。
【００６８】
また、金種別に棒金を収納するようになっており、各金種の棒金の大きさに合わせて棒金収納部５２０が設けられてもよい。但し、この場合でも大きさの大きな棒金収納部５２０には、大きさの小さな金種の棒金が入ることから、最も大きさ（つまり厚み及び径）の小さな棒金収納部５２０（例えば１円硬貨を収納する棒金収納部５２０）にはレバー５１３又は第三光センサ５１４が設けられ、穴が開いている硬貨を収納するための棒金収納部５２０（例えば５円硬貨を収納する棒金収納部５２０及び５０円硬貨を収納する棒金収納部５２０）には第二光センサ５１２と、レバー５１３又は第三光センサ５１４とが設けられ、それ以外の棒金収納部５２０には材質検知センサ５１６と第二光センサ５１２とが設けられるようにしてもよい。ちなみに、１円硬貨の外形は約２０ｍｍであり、厚みは約１．５ｍｍである。５円硬貨の外形は約２２ｍｍであり、厚みや約１．５ｍｍであるが、他方、５０円硬貨の外形は約２１ｍｍであり、厚みや約１．７ｍｍである。このため、５０枚の５円硬貨を包装した棒金は径の点で５０円硬貨を収納する棒金収納部５２０で収納することができず、他方、５０枚の５０円硬貨を包装した棒金は厚みの点で５円硬貨を収納する棒金収納部５２０で収納することができない。したがって、これらに関しては材質検知センサ５１６を特に設ける必要がない。
【００６９】
また、棒金筐体５０３には、棒金ドロア５０６を棒金筐体５０３に対して閉鎖位置に固定する閉鎖ロック部５６０（図５参照）が設けられている。また、本実施の形態の棒金収納装置５００は、棒金筐体５０３に対して棒金ドロア５０６が開状態になっているか閉状態になっているかを検知する開閉検知部５７０（図５参照）も備えている。
【００７０】
図５に示すように、棒金収納装置５００は、棒金収納装置５００を制御するための棒金制御部５０２と、棒金ドロア５０６内に収納されるべき棒金の本数である収納予定棒金本数を含む様々な情報を記憶した棒金記憶部５０５（特許請求の範囲に記載された「記憶部」に含まれている。）とを有している。棒金制御部５０２は、情報取得部によって取得された収納棒金本数と棒金記憶部５０５に記憶された収納予定棒金本数とを比較し、収納棒金本数と収納予定棒金本数との差が許容範囲内であるかを判断するようになっている。なお、収納予定棒金本数は、棒金記憶部５０５とともに又は棒金記憶部５０５の代わりに、上位記憶部１５５で記憶されてもよい。この場合には、上位記憶部１５５は特許請求の範囲に記載された「記憶部」に含まれることになる。ちなみに、収納予定棒金本数は各金種別に設定されてもよい。なお、「許容範囲」の一例としては、「＋２」、「＋１」、「０」、「−１」、「−２」等を設定することができる。
【００７１】
図５に示すように、棒金制御部５０２には、インターフェース５３２、開閉検知部５７０、棒金記憶部５０５、閉鎖ロック部５６０、後述する固定ロック部５６１、後述する個別報知部５９０、ロータリエンコーダ（変位検出部）５１０、第一光センサ５１１、第二光センサ５１２、第三光センサ５１４、レバー５１３、走査センサ５１５、材質検知センサ５１６等がそれぞれ接続されている。そして、棒金制御部５０２は、開閉検知部５７０、棒金記憶部５０５、閉鎖ロック部５６０、固定ロック部５６１、後述する個別報知部５９０、ロータリエンコーダ（変位検出部）５１０、第一光センサ５１１、第二光センサ５１２、第三光センサ５１４、レバー５１３、走査センサ５１５、材質検知センサ５１６等と信号の送受信を行い、これらを制御するように構成されている。なお、棒金ドロア５０６の棒金収納部５２０に収納されている棒金の在高情報（棒金の本数）は、棒金記憶部５０５で記憶されてもよいし、この棒金記憶部５０５とともに又は棒金記憶部５０５の代わりに、上位記憶部１５５で記憶されてもよい。
【００７２】
収納予定棒金本数は、棒金ドロア５０６で収納する運用上の最大本数となっていてもよい。この「運用上の最大本数」は棒金ドロア５０６内に物理的に収容できる最大本数以下の本数になっている。そして、この場合には、棒金制御部５０２は、収納棒金本数が運用上の最大本数以下の場合に許容範囲内であると判断してもよい。また、「各金種」の棒金に対して運用上の最大本数が設定されていてもよく、収納されている全ての金種における収納棒金本数が運用上の最大本数以下の場合に、棒金制御部５０２が許容範囲内であると判断し、いずれかの金種における収納棒金本数が運用上の最大本数を超える場合に、棒金制御部５０２が許容範囲外であると判断してもよい。
【００７３】
一例としては、５００円硬貨については０本〜１本の収納予定棒金本数を設定でき、１００円硬貨については０本〜８本の収納予定棒金本数を設定でき、５０円硬貨については０本〜１本の収納予定棒金本数を設定でき、１０円硬貨については０本〜６本の収納予定棒金本数を設定でき、５円硬貨については０本〜１本の収納予定棒金本数を設定でき、１円硬貨については０本〜４本の収納予定棒金本数を設定できてもよい。なお、「１」がつく金種の硬貨は「５」がつく金種の硬貨の代わりに用いることができるので、「１」がつく金種の硬貨の収納予定棒金本数は、「５」がつく金種の硬貨の収納予定棒金本数よりも多くなっていてもよい。
【００７４】
収納予定棒金本数としては、例えば、５００円硬貨、５０円硬貨及び５円硬貨の棒金に対しては１本が設定され、１００円硬貨に対しては６本が設定され、１０円硬貨に対しては４本が設定され、１円硬貨に対しては２本が設定されてもよい（図１０及び図１１参照）。なお、店舗や売り場で利用されない、又は、利用頻度が低い金種の棒金に関しては０本が設定されてもよい。設定された収納予定棒金本数は、操作表示部１５２やＰＯＳ操作部３５２を操作することで、操作表示部１５２やＰＯＳ表示部３５１で確認できるようになってもよい。
【００７５】
ちなみに、棒金情報取得部として材質検知センサ５１６が用いられる場合には、各金種に対して設定される収納予定棒金本数に対応して、稼働状態となる材質検知センサ５１６の数が変更されてもよい。より具体的には、各金種に対して設定される収納予定棒金本数と同数の材質検知センサ５１６が、各金種において稼働状態となってもよい。なお、このような態様に限られることはなく、例えば、設定される収納予定棒金本数とは関係なく、全ての材質検知センサ５１６が稼働状態となってもよい。操作者が棒金をどの棒金収納部５２０に載置するかが予め分からないことや、予定されている数よりも多くの棒金が収納されてしまったことを認識できることから、全ての材質検知センサ５１６を稼働状態とする態様を用いることは有益である。
【００７６】
また、棒金制御部５０２は、補充処理を行うための補充モードにおいて、収納棒金本数と収納予定棒金本数とを比較し、収納棒金本数と収納予定棒金本数との差が許容範囲内であるかを判断してもよい。一例としては、補充モードにおいて、全ての金種における収納棒金本数が運用上の最大本数以下の場合に、棒金制御部５０２が許容範囲内であると判断し、いずれかの金種における収納棒金本数が運用上の最大本数を超える場合に、棒金制御部５０２が許容範囲外であると判断してもよい。この場合には、通常処理においては、収納棒金本数と収納予定棒金本数との差が許容範囲内であるかの判断を行わないようにしてもよい。なお、本実施の形態における通常処理とは、回収処理及び補充処理以外の処理のことを意味し、例えば貨幣の入出金を行う処理である。
【００７７】
また、収納棒金本数と収納予定棒金本数との差が許容範囲外である場合に棒金制御部５０２が異常処理を行ってもよい。異常処理においては、棒金制御部５０２が、異常が発生した旨の情報を出力し、操作表示部１５２や後述するＰＯＳ表示部３５１等の表示部で異常が発生したことが表示されてもよいし、ブザー、スピーカー等の音声出力部６１０からの音声で異常が発生したことを伝えてもよいし、後述する印刷部３７０による印刷が開始されて印刷された紙によって異常が発生したことを伝えてもよい。音声出力部６１０によって、どのような異常が発生したかも音声で伝えられてもよく、例えば「１００円棒金を２本、取り出して下さい。」というような音声が流れてもよい。ちなみに、操作表示部１５２や後述するＰＯＳ表示部３５１等の表示部で表示される言語及び音声出力部６１０で出力される言語は適宜変更できるようになってもよく、日本語だけではなく、英語、中国語、韓国語、ポルトガル語、スペイン語等に適宜変更できるようになってもよい。なお、音声出力部６１０及び印刷部３７０は、貨幣処理装置１００，２００又は棒金収納装置５００と別体に設けられてもよいが、貨幣処理装置１００，２００又は棒金収納装置５００に組み込まれていてもよい。また、異常が発生したことについては、操作表示部１５２やＰＯＳ表示部３５１等の表示部において強調色（例えば赤色）で強調して表示されてもよいし、点滅等して強調する態様で表示されてもよい。
【００７８】
また、異常処理においては、閉鎖ロック部５６０が、棒金ドロア５０６を棒金筐体５０３に対して閉じた状態でロックしないようにしてもよい。また、棒金筐体５０３の内部であって、棒金ドロア５０６と棒金筐体５０３との間にバネ等の弾性部材（図示せず）が設けられており、閉鎖ロック部５６０が棒金ドロア５０６を棒金筐体５０３に対して閉じた状態でロックしない結果、棒金筐体５０３に対して棒金ドロア５０６が開放される（棒金筐体５０３に対して棒金ドロア５０６が飛び出て開いた状態になる）ようになっていてもよい。このような態様に限られることはなく、閉鎖ロック部５６０によるロックと関係なく、異常処理において、棒金筐体５０３に対して棒金ドロア５０６が開放されるようになっていてもよい。この場合には、例えば、棒金筐体５０３内に棒金ドロア５０６に連結されたモータ（図示せず）が設けられており、異常処理を行う場合に当該モータが駆動されて棒金ドロア５０６が棒金筐体５０３に対して開放されるようにしてもよい。なお、棒金ドロア５０６が棒金筐体５０３に対して一定の位置までモータで開放された後は、棒金ドロア５０６が棒金筐体５０３に対して自在に移動できるような態様であってもよい。
【００７９】
また、上述した閉鎖ロック部５６０とは別に、棒金ドロア５０６を棒金筐体５０３に対して開放した状態でロックできる固定ロック部５６１（図５参照）が設けられていてもよい。そして、上述した材質検知センサ５１６、レバー５１３又は第三光センサ５１４を採用した場合に異常処理を行うときには、固定ロック部５６１によって、棒金ドロア５０６が棒金筐体５０３に対して開放した状態でロックされ、棒金ドロア５０６を棒金筐体５０３に対して閉じた状態にできないようにしてもよい。
【００８０】
異常が発生したことを報知するためのＬＥＤランプ等からなる（異常時には例えば赤色で点灯又は点滅する）異常表示部５８１、及び／又は、正常な状態であることを報知するためのＬＥＤランプ等からなる（正常時には例えば緑色で点灯する）正常表示部５８２が設けられてもよい（図４参照）。また、一つの状態表示部５８３が、異常表示部５８１と正常表示部５８２の両方の役割を果たしてもよく、当該状態表示部５８３は、異常時には例えば赤色で点灯又は点滅し、正常時には例えば緑色で点灯するようになってもよい。
【００８１】
なお、棒金制御部５０２等の制御部から出力されるあらゆる情報は、操作表示部１５２やＰＯＳ表示部３５１等の表示部で表示されてもよいし、音声出力部６１０からの音声で伝えられてもよいし、印刷部３７０が印刷することで伝えられてもよい。特に述べない場合であっても、このことが本実施の形態ではあてはまるので留意が必要である。
【００８２】
また、収納棒金本数と収納予定棒金本数との差が許容範囲内である場合に棒金制御部５０２が正常処理を行ってもよい。正常処理においては、閉鎖ロック部５６０が、棒金ドロア５０６を棒金筐体５０３に対して閉じた状態でロックするようにしてもよい。また、正常処理においては、棒金制御部５０２が、正常である旨の情報を出力し、正常であることが、操作表示部１５２やＰＯＳ表示部３５１等の表示部で表示されてもよいし、音声出力部６１０からの音声で伝えられてもよいし、印刷部３７０が印刷することで伝えられてもよい。
【００８３】
また、複数の棒金収納部５２０が存在する金種に対しては、棒金収納部５２０に収納されている棒金の本数が予め設定された下限を下回る場合に、棒金制御部５０２が当該金種の棒金が不足していることを出力するようにしてもよい。なお、この下限は許容範囲とは無関係であってもよく、許容範囲内にある場合であっても、ある金種の棒金の本数が予め設定された下限を下回る場合（例えばニアエンプティである場合）にはその旨が出力されてもよい。この際には、不足している本数が出力されるようにしてもよい。典型的な例では、収納されている全ての金種における収納棒金本数が運用上の最大本数以下の場合であっても、ある金種の棒金の本数が予め設定された下限を下回る場合には、当該ある金種の棒金の本数が予め設定された下限を下回ることが出力されてもよく、この際に不足している本数が出力されてもよい。
【００８４】
また、一つ以上の金種又は全ての金種に関して、収納棒金本数が収納予定棒金本数よりも許容範囲を超えて大きいかについては、補充処理の間だけでなく通常処理の間においても棒金制御部５０２が判断してもよい。他方、収納棒金本数が収納予定棒金本数よりも許容範囲を超えて小さいかについては、棒金制御部５０２は、補充処理の間だけで判断してもよい。
【００８５】
また、収納予定棒金本数として設定可能な棒金の金種及び棒金の本数の上限は、１つ以上の金種又は全ての金種に関して、棒金収納部５２０で物理的に収納可能な棒金の金種及び棒金の本数であってもよい。棒金収納部５２０が金種別に分かれている場合には、各金種に関して物理的に収納できる最大の本数が用いられ、他方、棒金収納部５２０が金種別に分かれておらず、各棒金収納部５２０であらゆる金種の棒金を収納できる場合には、総合計の棒金の本数が物理的に収納できる最大の本数となる。
【００８６】
棒金記憶部５０５等の記憶部に記憶された収納予定棒金本数は自動で更新されてもよい。収納予定棒金本数は、曜日や平日であるか否か等に応じて自動で更新されてもよい。一例としては、平日、土曜日、及び、日曜日と祝日の３つのカテゴリーに分け、カテゴリー毎に収納予定棒金本数が記憶されていてもよい。例えば、日曜日や祝日に客数が増える営業形態の店舗であれば、日曜日や祝日には収納予定棒金本数として他の日より多い数値を設定することが想定される。
【００８７】
収納予定棒金本数及び／又は許容範囲は、後述するＰＯＳ操作部３５２や操作表示部１５２のような操作部から入力されてもよい。なお、ＰＯＳ操作部３５２及び操作表示部１５２の各々は、特許請求の範囲の「入力部」に含まれている。
【００８８】
このように収納予定棒金本数及び／又は許容範囲がＰＯＳ操作部３５２や操作表示部１５２のような操作部から入力される場合には、カードリーダ１７０，２７０，３６０（カードリーダ３６０については後述する。）によって読み取られたカード情報、又は、ＰＯＳ操作部３５２や操作表示部１５２のような操作部から入力されたＩＤ番号等の操作者情報に基づいて所定の権限を有する操作者（例えば店舗の管理者等）であると判断された場合にのみ、当該入力が許可されてもよい。なお、ＩＤ番号が操作部から入力される場合には、パスワードの入力が要求されるようにしてもよい。カードリーダ１７０，２７０，３６０、ＰＯＳ操作部３５２及び操作表示部１５２の各々は、特許請求の範囲の「操作者判断部」に含まれている。
【００８９】
棒金制御部５０２は、１つ以上の金種又は全ての金種に関して、収納棒金本数が収納予定棒金本数よりも小さい場合に、収納予定棒金本数と収納棒金本数との差分を不足情報として出力してもよい。このことは、後述するＰＯＳ表示部３５１等の表示部で表示されてもよいし、管理装置（外部装置の一種）の表示部で表示されてもよいし、音声出力部６１０からの音声で伝えられてもよいし、印刷部３７０が印刷することで伝えられてもよい。この不足情報に基づいて、例えば次の営業日に棒金を補充するようにしてもよい。
【００９０】
各棒金収納部５２０に対応したＬＥＤランプ等の個別報知部５９０（図５参照）が設けられていてもよい。そして、在高枚数が減ってきており補充が必要な金種に対応する個別報知部５９０（複数の棒金収納部５２０が存在する場合には、例えば全ての棒金収納部５２０に対応するＬＥＤランプ）が点灯又は点滅することで、補充が必要な金種を報知できるようになっていてもよい。また、補充が必要な金種及び本数に対応する個別報知部５９０が点灯又は点滅することで、補充が金種とその本数を報知できるようになっていてもよい。
【００９１】
また、収納予定棒金本数よりも多い本数の棒金が収納された金種が存在する場合や、収納予定棒金本数よりも少ない本数の棒金が収納された金種が存在する場合には、許容範囲内にある場合であっても、当該金種に対応する全ての個別報知部５９０が点灯又は点滅してもよい。また、このような態様ではなく、取り除かれるべき棒金に対応する個別報知部５９０のみ、又は、補充されるべき棒金収納部５２０に対応する個別報知部５９０のみが点灯又は点滅してもよい。このように点灯又は点滅する個別報知部５９０の優先順位は予め設定されていてもよい。また、補充処理の間だけ、収納予定棒金本数よりも多い又は少ない金種の棒金に対応する個別報知部５９０が点灯又は点滅するようにしてもよい。なお、収納予定棒金本数を基準とするのではなく許容範囲外にある場合に、個別報知部５９０による点灯又は点滅が行われてもよい。
【００９２】
《ＰＯＳレジスタ３００》
次に、本実施の形態のＰＯＳレジスタ３００の構成について説明する。ＰＯＳレジスタ３００は、商品の購入情報を登録するとともに、硬貨処理装置１００や紙幣処理装置２００に対して指令を入力して、硬貨や紙幣の入金処理、出金処理、精査処理、回収処理等を行わせるようになっている。
【００９３】
図４に示すように、ＰＯＳレジスタ３００のＰＯＳ制御部３０２は、硬貨処理装置１００の上位制御部１０１に通信接続されるとともに、サーバ４００にも通信接続されている。そして、このＰＯＳ制御部３０２は、硬貨処理装置１００の上位制御部１０１を介して硬貨制御部１０２、紙幣制御部２０２及び棒金制御部５０２に指令を送り、この結果、硬貨処理装置１００に対して硬貨の入金処理、出金処理、精査処理、回収処理等を行わせ、紙幣処理装置２００に対して紙幣の入金処理、出金処理、精査処理、回収処理等を行わせ、棒金収納装置５００の棒金ドロア５０６のロックを解錠させたりするようになっていてもよい。また、ＰＯＳ制御部３０２は、硬貨制御部１０２、紙幣制御部２０２及び棒金制御部５０２から、上位制御部１０１を介して、硬貨処理装置１００、紙幣処理装置２００及び棒金制御部５０２における硬貨、紙幣及び棒金の処理状況や在高に係る情報を受け取るようになっていてもよい。
【００９４】
図１に示すように、ＰＯＳレジスタ３００は、店員等の操作者が操作することのできるＰＯＳ操作部３５２と、商品の取引状況、硬貨処理装置１００における硬貨の処理状況、紙幣処理装置２００における紙幣の処理状況、硬貨処理装置１００の内部に収納された硬貨の在高、紙幣処理装置２００の内部に収納された紙幣の在高、棒金収納装置５００の内部に収納された棒金の在高等を表示するＰＯＳ表示部３５１と、を備えている。そして、操作者は、ＰＯＳ操作部３５２を介してＰＯＳ制御部３０２（図参照）に対して様々な指令を与えることができるようになっている。なお、上述したＰＯＳ表示部３５１には、購入客に対して商品の購入代金を示したりするための購入客用表示部３５１ａ（図１参照）が含まれている。
【００９５】
図４に示すように、ＰＯＳレジスタ３００のＰＯＳ制御部３０２は、インターフェース３３２を介して、硬貨処理装置１００の上位制御部１０１やサーバ４００に対して信号の送受信を行うようになっている。また、ＰＯＳ記憶部３０５には、硬貨処理装置１００における硬貨の処理状況、硬貨処理装置１００の内部に収納された硬貨の在高、紙幣処理装置２００における紙幣の処理状況、紙幣処理装置２００の内部に収納された紙幣の在高、棒金収納装置５００の内部に収納された棒金の在高等の様々な情報が記憶されるようになっている。
【００９６】
なお、ＰＯＳレジスタ３００は、クレジットカード等の各種カードを読み取るカードリーダ３６０と、プリンタ等からなる印刷部３７０も有してもよい。なお、ＰＯＳ表示部３５１で表示されるあらゆる情報やＰＯＳ記憶部３０５で記憶されているあらゆる情報は、当該印刷部３７０で印刷できるようになっている。
【００９７】
図４に示すように、ＰＯＳレジスタ３００のＰＯＳ制御部３０２には、カードリーダ３６０、プリンタ等からなる印刷部３７０、ＰＯＳ表示部３５１、ＰＯＳ操作部３５２、ＰＯＳ記憶部３０５、インターフェース３３２等がそれぞれ接続されている。そして、ＰＯＳ制御部３０２は、カードリーダ３６０、印刷部３７０、ＰＯＳ表示部３５１、ＰＯＳ操作部３５２、ＰＯＳ記憶部３０５等と信号の送受信を行い、これらを制御するように構成されている。
【００９８】
なお、以下では、操作表示部１５２及びＰＯＳ表示部３５１のいずれか１つ以上を指す用語として「表示部４０」を用いる。また、操作表示部１５２及びＰＯＳ操作部３５２のいずれか１つ以上を指す用語として「操作部３０」を用いる。また、上位記憶部１５５、硬貨記憶部１０５、紙幣記憶部２０５、棒金記憶部５０５及びＰＯＳ記憶部３０５のうちのいずれか１つ以上を指す用語として「記憶部６０」を用いる。また、上位制御部１０１、硬貨制御部１０２、紙幣制御部２０２、棒金制御部５０２及びＰＯＳ制御部３０２のうちのいずれか１つ以上を指す用語として「制御部１０」を用いる。ちなみに、操作表示部１５２で表示される内容はＰＯＳ表示部３５１で表示されてもよく、逆に、ＰＯＳ表示部３５１で表示される内容は操作表示部１５２で表示されてもよい。また、操作表示部１５２から入力される操作はＰＯＳ操作部３５２から入力されてもよく、逆に、ＰＯＳ操作部３５２から入力される操作は操作表示部１５２から入力されてもよい。また、上位記憶部１５５、硬貨記憶部１０５、紙幣記憶部２０５、棒金記憶部５０５及びＰＯＳ記憶部３０５のうちのいずれか１つで記憶されている情報は、上位記憶部１５５、硬貨記憶部１０５、紙幣記憶部２０５、棒金記憶部５０５及びＰＯＳ記憶部３０５のうちの別の１つで記憶されてもよい。上位制御部１０１、硬貨制御部１０２、紙幣制御部２０２、棒金制御部５０２及びＰＯＳ制御部３０２のうちのいずれか１つで行われている制御は、上位制御部１０１、硬貨制御部１０２、紙幣制御部２０２、棒金制御部５０２及びＰＯＳ制御部３０２のうちの別の１つで行われてもよい。
【００９９】
《方法》
次に、本実施の形態の棒金収納装置５００又は貨幣処理システムを用いた処理方法について説明する。この「方法」においては、「構成」で述べた事項の全てを採用することができる。しかしながら、重複する記載となることから、以下では、適宜省略しつつ、取り得る態様を列記して説明する。
【０１００】
本実施の形態の処理方法は、記憶部６０に棒金ドロア５０６内に収納されるべき棒金の本数である収納予定棒金本数を記憶させること（記憶工程）と、収納棒金本数と収納予定棒金本数とを比較して収納棒金本数と収納予定棒金本数との差が許容範囲内であるかを判断すること（判断工程）と、を備えている。
【０１０１】
記憶工程で記憶される収納予定棒金本数は、棒金ドロア５０６で収納する運用上の最大本数であってもよい。この場合には、判断工程において、収納棒金本数が収納予定棒金本数以下のときに許容範囲内であると判断してもよい。
【０１０２】
判断工程は補充モードにおいて行われてもよく、当該判断工程では、収納棒金本数と収納予定棒金本数とを比較し、収納棒金本数と収納予定棒金本数との差が許容範囲内であるかが判断されてもよい。
【０１０３】
判断工程において、収納棒金本数と収納予定棒金本数との差が許容範囲外であると判断された場合に異常処理が行われてもよい（異常処理工程）。また、判断工程において、収納棒金本数と収納予定棒金本数との差が許容範囲内であると判断された場合に正常処理が行われてもよい（正常処理工程）。なお、許容範囲外である場合に異常処理工程を行い、かつ、許容範囲内である場合に正常処理工程を行うようにしてもよいが、異常処理工程及び正常処理工程のいずれか一方のみを行うようにしてもよい。
【０１０４】
異常処理工程においては、異常が発生した旨の情報が出力されてもよい。このような情報が出力された結果、閉鎖ロック部５６０が棒金ドロア５０６を棒金筐体５０３に対して閉じた状態でロックしないようにしてもよい。このように閉鎖ロック部５６０が棒金ドロア５０６を棒金筐体５０３に対して閉じた状態でロックしない結果、棒金筐体５０３に対して棒金ドロア５０６が開放される（棒金筐体５０３に対して棒金ドロア５０６が飛び出て開いた状態になる）ようになってもよい。他方、閉鎖ロック部５６０によるロックと関係なく、モータが駆動される等して、棒金筐体５０３に対して棒金ドロア５０６が開放されるようになっていてもよい。なお、異常が発生した旨の情報が出力された場合には、当該情報が表示部４０で表示されてもよいし、音声出力部６１０からの音声で伝えられてもよいし、印刷部３７０で印刷されてもよい。
【０１０５】
判断工程においては、複数の棒金収納部５２０が存在する金種に対して、棒金収納部５２０に収納されている棒金の本数が予め設定された下限を下回るかが判断されてもよい。そして、棒金収納部５２０に収納されている棒金の本数が予め設定された下限を下回る場合には、そのことが出力されて、表示部４０で表示されてもよいし、音声出力部６１０からの音声で伝えられてもよいし、印刷部３７０で印刷されてもよい。
【０１０６】
また、判断工程において、収納棒金本数が収納予定棒金本数よりも許容範囲を超えて大きいかについて、補充処理を行っている間だけではなく通常処理を行っている間においても判断してもよい。
【０１０７】
記憶工程で記憶される収納予定棒金本数として設定可能な棒金の金種及び棒金の本数の上限は、棒金収納部５２０で物理的に収納可能な棒金の金種及び棒金の本数であってもよい。
【０１０８】
記憶工程は複数回行われてもよく、このように複数回行われる記憶工程において収納予定棒金本数は自動で更新されてもよい。
【０１０９】
記憶工程では許容範囲が記憶されてもよい。そして、記憶工程で記憶される収納予定棒金本数及び／又は許容範囲は操作部３０から入力されてもよい（入力工程）。このような入力工程は、操作者判断部からの情報に基づき所定の権限を有する操作者であると判断された場合にのみ、許可されてもよい。
【０１１０】
また、収納棒金本数が収納予定棒金本数よりも小さい場合に、収納予定棒金本数と収納棒金本数との差分を不足情報として出力してもよい。この出力は、収納棒金本数と収納予定棒金本数との差が許容範囲内であるか否かに関係なく行われてもよい。
【０１１１】
［記憶工程の一例］
ここで、記憶工程について、一例を用いて説明する。ここで述べる態様はあくまでも一例であることには留意が必要である。この例では操作部３０及び表示部４０として操作表示部１５２を用いることとする。
【０１１２】
まず、操作者が、操作表示部１５２を操作することで、操作表示部１５２に表示された「棒金収納本数設定」という項目を選択する（図１０（ａ）参照）。この際、操作表示部１５２に表示された三角ボタン「▲」「▼」に対応するボタンを用いて選択する項目を移動させ、「棒金収納本数設定」という項目が選択された後で、操作表示部１５２に表示された「決定」に対応するボタンを押下する。選択する項目の移動及び決定は、以下でも同様であり、このように三角ボタンに対応するボタン及び決定に対応するボタンを用いて行われる。
【０１１３】
次に、操作者は、棒金収納本数を設定したい金種（例えば１００円）を選択する（図１０（ｂ）参照）。そして、金種を選択すると、選択された金種に関して設定したい棒金の本数（例えば６本）を設定する（図１０（ｃ）参照）。
【０１１４】
なお、この際に選択できる棒金の本数としては、棒金ドロア５０６に物理的に収納できる本数までが選択できるようになってもよい。上述したように、棒金収納部５２０が金種別に分かれている場合には、各金種に関して物理的に収納できる最大の本数が用いられ、他方、棒金収納部５２０が金種別に分かれておらず、各棒金収納部５２０であらゆる金種の棒金を収納できる場合には、総合計の棒金の本数が物理的に収納できる最大の本数となる。
【０１１５】
他の金種についても棒金収納本数を設定したい場合には、同様の工程を行う。図１１に示す態様で説明すると、棒金収納本数を設定したい別の金種（例えば１０円）を選択する（図１１（ａ）参照）。そして、選択された金種に関して設定したい棒金の本数（例えば４本）を設定する（図１１（ｂ）参照）。次に、棒金収納本数を設定したいさらに別の金種（例えば１円）を選択する。そして、選択された金種に関して設定したい棒金の本数（例えば２本）を設定する（図１１（ｃ）参照）。
【０１１６】
［補充処理の一例］
次に、補充処理の一例を図７乃至図９を用いて説明する。ここで述べる態様はあくまでも一例であることには留意が必要である。
【０１１７】
操作者が操作部３０を操作することで、補充処理を行うことが選択される（図７のＳ１１のＹＥＳ）。その結果、閉鎖ロック部５６０による棒金ドロア５０６の棒金筐体５０３に対するロックが解錠されて、棒金ドロア５０６と棒金筐体５０３との間に設けられた弾性部材からの付勢力で、棒金筐体５０３に対して棒金ドロア５０６が開放される（図７のＳ１２参照）。
【０１１８】
操作者が、棒金ドロア５０６の棒金収納部５２０に棒金を収納して補充する（図７のＳ１３参照）。
【０１１９】
棒金ドロア５０６を棒金筐体５０３に対して閉じる（図７のＳ１４参照）。この例では、このように棒金ドロア５０６を棒金筐体５０３に対して閉じる際、又は、棒金ドロア５０６を棒金筐体５０３に対して閉じた後で、棒金情報取得部によって、棒金ドロア５０６内に収納された棒金の金種別本数が取得される（図７のＳ１５参照）。この際、棒金の収納異常や異常棒金があるかも確認される。
【０１２０】
このように棒金情報取得部によって取得された収納棒金本数と収納予定棒金本数とが、金種毎に比較され、収納棒金本数と収納予定棒金本数との差が許容範囲内であるかが判断される（判断工程）（図７のＳ１６参照）。仮に各金種の収納予定棒金本数が棒金ドロア５０６で収納する運用上の最大本数であり、収納棒金本数が収納予定棒金本数以下のときに許容範囲内であると判断する態様を採用している場合には、各金種に関して収納された棒金本数が運用上の最大本数以下となっているかが判断され、各金種において収納された棒金本数が運用上の最大本数以下の場合には正常なものとして正常処理工程が行われる。他方、一つ以上の金種において収納された棒金本数が運用上の最大本数を超えている場合には異常処理工程が行われる。図８では、１０円硬貨に対して収納予定棒金本数が４本となっているにも関わらず、６本の１０円硬貨の棒金が収納されてしまった場合に、表示部４０で表示される画像が示されている。図８では、過剰に収納されていると判断された金種及び本数が示されるだけではなく、当該棒金がどのエリアに収納されているかを示すイラスト表示（「異常位置情報」の一例）も示されている。なお、図８に示す態様では「設定本数は４本のため」と表示されており、異常処理を行った理由も表示されている。
【０１２１】
また、棒金の収納異常又は異常棒金がある場合にも異常処理工程が行われる。収納異常としては、棒金が棒金収納部５２０に対して正常に収納されていない場合を挙げることができる。また、棒金収納部５２０に収納されるべき金種が決まっている態様を採用した場合であって、収納されるべき金種とは異なる金種の棒金が棒金収納部５２０に収納されてしまっているときも、収納異常の一例として挙げることができる。また、異常棒金としては、棒金を包装するフィルムが剥がれている場合や、（落とす等して）棒金の径が一定になっていない場合や、棒金内に所定枚数の硬貨が収容されていない場合等を挙げることができる。図９では、１００円硬貨の棒金について収納異常又は異常棒金が発生した場合に、表示部４０で表示される画像が示されている。図９でも、収納異常又は異常棒金が発生した棒金がどのエリアに収納されているかを示すイラスト表示（「異常位置情報」の一例）も示されている。ちなみに、ごみが棒金収納部５２０に入ってしまっている場合には（第一光センサ５１１を採用しているときには）第一光センサ５１１に含まれる発光部からの光が長時間にわたり遮光されることになり、その結果、異常が発生したことが検知されることになる。
【０１２２】
この例では、正常な場合には正常処理工程として、棒金ドロア５０６を棒金筐体５０３に対して閉じたときに、閉鎖ロック部５６０によって棒金ドロア５０６が棒金筐体５０３に対してロックされるようになっている。そして、棒金収納装置５００に収納されている棒金の金種別の在高情報が更新されるようになっている（図７のＳ１７参照）。
【０１２３】
他方、異常な場合には異常処理工程として、棒金ドロア５０６を棒金筐体５０３に対して閉じたときに、閉鎖ロック部５６０によって棒金ドロア５０６が棒金筐体５０３に対してロックされない。その結果、棒金ドロア５０６と棒金筐体５０３との間に設けられた弾性部材からの付勢力で、棒金筐体５０３に対して棒金ドロア５０６が開放されることになる（図７のＳ２１参照）。
【０１２４】
また、異常処理工程では、表示部４０で異常が発生したことが表示され、かつ、ブザー、スピーカー等の音声出力部６１０からの音声で異常が発生したことが伝えられる（図７のＳ２２参照）。
【０１２５】
このような状況を受けて、操作者が収納されるべき棒金を修正する作業、例えば運用上の最大本数を超えた金種の棒金を棒金収納部５２０から取り除く作業が操作者によって行われる（図７のＳ２３参照）。その後で、再度、棒金ドロア５０６を棒金筐体５０３に対して閉じて、図７のＳ１４以降の工程が再度行われる。
【０１２６】
そして、問題が無い場合には正常処理工程が行われる。仮にまだ問題があるようであれば異常処理工程が再度行われる。
【０１２７】
以降は、上述した工程が繰り返して行われることになる。
【０１２８】
《効果》
次に、上述した構成からなる本実施の形態によって達成される効果であって、まだ述べていない効果又はとりわけ重要な効果について説明する。
【０１２９】
本実施の形態によれば、収納棒金本数と記憶部６０に記憶された収納予定棒金本数とを比較し、収納棒金本数と収納予定棒金本数との差が許容範囲内であるかを判断する。このため、棒金ドロア５０６内に収納されるべき棒金の本数と、実際に棒金ドロア５０６に収納されている棒金との関係を管理することができる。
【０１３０】
収納予定棒金本数が、一つの金種以上又は全ての金種に関して、棒金ドロア５０６で収納する運用上の最大本数であって、制御部１０が、収納棒金本数が運用上の最大本数以下の場合には許容範囲内であると判断する態様を採用した場合には、一つの金種以上又は全ての金種において、運用上の最大本数を超えた本数の棒金が収納されていないかを管理することができる。
【０１３１】
補充モードにおいて、制御部１０が、一つの金種以上又は全ての金種に関して、収納棒金本数と収納予定棒金本数とを比較し、収納棒金本数と収納予定棒金本数との差が許容範囲内であるかを判断する態様を採用した場合には、補充モードにおいて、一つの金種以上又は全ての金種に関して、収納棒金本数と収納予定棒金本数との差が許容範囲内であるかが判断されることになる。このため、補充処理を行っている間に、例えば、許容範囲外の金種の棒金が存在することや、どの金種の棒金が許容範囲外になっているのか等を操作者が容易に把握することができ、補充処理を効率よく行うことができる。
【０１３２】
また、一つ以上の金種において、収納棒金本数と収納予定棒金本数との差が許容範囲外である場合に制御部１０が異常処理を行う態様を採用した場合には、許容範囲外の金種の棒金が存在することを操作者が容易に把握することができる。典型的には、一つ以上の金種の棒金が運用上の最大本数よりも多く収容されているときに異常処理がなされることになり、運用上の最大本数よりも多い棒金が棒金ドロア５０６に収納されていることを操作者が容易に把握することができる。
【０１３３】
異常処理において、異常が発生した旨の情報が出力され、異常が発生したことが表示部４０で表示されたり、音声出力部６１０からの音声で伝えられたり、印刷部３７０によって印刷されたりする場合には、視覚を通じて又は聴覚を通じて異常が発生したことを、操作者は認識することができる。
【０１３４】
また、異常処理において閉鎖ロック部５６０が棒金ドロア５０６を棒金筐体５０３に対して閉じた状態でロックしないようにする態様を採用した場合には、ロックがかからないことで異常が発生したことを、操作者は認識することができる。なお、この態様において、閉鎖ロック部５６０が棒金ドロア５０６を棒金筐体５０３に対して閉じた状態でロックしない結果、棒金筐体５０３に対して棒金ドロア５０６が開放されるようになっている場合には、異常が発生したときには棒金筐体５０３に対して棒金ドロア５０６が飛び出て開いた状態となることから、より容易に異常が発生したことを操作者が認識できる。当然、閉鎖ロック部５６０によるロックと関係なく、異常処理において、棒金筐体５０３に対して棒金ドロア５０６が開放されるようになる態様を採用した場合にも、上記と同様、容易に異常が発生したことを操作者が容易に認識できる。
【０１３５】
また、収納棒金本数と収納予定棒金本数との差が許容範囲内である場合に制御部１０が正常処理を行うようにしてもよい。より具体的には、棒金収納装置５００が取り扱う全ての金種の棒金に関して、収納棒金本数と収納予定棒金本数との差が許容範囲内である場合に制御部１０が正常処理を行うようにしてもよい。このような態様を採用した場合には、正常処理が行われている間は、操作者は何ら異常が発生していないことを認識することができる。
【０１３６】
また、複数の棒金収納部５２０が存在する金種に対して棒金収納部５２０に収納されている棒金の本数が予め設定された下限を下回るかが制御部１０で判断され、予め設定された下限を下回る金種の棒金が存在する場合に制御部１０がそのことを出力する態様を採用した場合には、棒金の本数が予め設定された下限を下回ることを迅速に把握することができる。このような判断は、常時行われてもよいが、一定の周期で確認されるようにしてもよい。また、このような判断は、通常処理の間に行われてもよいし、補充処理の間に行われてもよい。なお、一つの棒金収納部５２０しか存在しない金種に関しては、当該金種の棒金がなくなったときに異常処理が行われてもよい。
【０１３７】
また、予め設定された下限を下回るかについては、バラ硬貨の在高を考慮するようにしてもよい。仮に棒金収納部５２０に収納されているある金種の棒金の本数が０本になった場合であっても、硬貨収納部１６１に当該ある金種のバラ硬貨が所定枚数以上ある場合には異常処理を行わないようにしてもよい。バラ硬貨が存在する場合には、当面は通常処理を継続することができるためである。また、予め設定された下限を下回るかについては、「１」がつく金種の硬貨、つまり１００円硬貨、１０円硬貨及び１円硬貨に対して行われ、「５」がつく金種の硬貨、つまり５０円硬貨及び５円硬貨に対して行われないようにしてもよい。「５」がつく金種の硬貨については「１」がつく金種の硬貨によって代替え出金することができるためである。
【０１３８】
また、制御部１０が、収納棒金本数が収納予定棒金本数よりも許容範囲を超えて大きいかを通常処理の間に判断する態様を採用した場合には、予定している本数よりも多くの棒金が棒金収納装置５００に収納されているかを、通常処理の間でも操作者は認識することができる。
【０１３９】
記憶部６０に記憶された収納予定棒金本数が自動で更新される態様を採用した場合には、状況に応じて適切な収納予定棒金本数が自動で設定されることになるので、運用に適した本数の棒金を棒金収納装置５００で収納することができる。より具体的には、各金種に関して、記憶部６０に記憶された収納予定棒金本数が自動で更新されてもよく、この場合には、各金種の棒金の本数を運用に適したものにすることができる。
【０１４０】
自動で設定される収納予定棒金本数が曜日や平日であるか否か等に応じて自動で更新される場合には、曜日や平日であるか否かに応じて変化する必要な棒金の本数が設定されることになる。また、自動で設定される棒金の本数は操作者等が予め設定してもよいが、過去の一定期間（例えば過去３か月、６か月、１年等）の履歴を参照にして、曜日や平日であるか否かに応じて、制御部１０が自動で設定するようにしてもよい。なお、許容範囲も自動で更新されるようになってもよい。また、自動で設定される許容範囲は、操作者等が条件毎に予め設定しておいてもよいが、過去の一定期間の履歴を参照にして、曜日や平日であるか否か等に応じて、制御部１０が自動で設定するようにしてもよい。
【０１４１】
収納予定棒金本数及び／又は許容範囲が操作部３０から入力される態様を採用した場合には、収納予定棒金本数及び／又は許容範囲を自在に変更することができるので、より柔軟な態様で運用することができる。収納予定棒金本数及び許容範囲に関するこのような入力が操作者情報に基づいて所定の権限を有する操作者であると判断された場合にのみ許可される態様を採用した場合には、収納予定棒金本数及び許容範囲が権限のない者によって無断で変更されるリスクを低減することができる。
【０１４２】
また、制御部１０が、一つ以上の金種又は全ての金種に関して、収納棒金本数が収納予定棒金本数よりも小さいときに収納予定棒金本数と収納棒金本数との差分を不足情報として出力する態様を採用した場合には、どの金種の棒金がどの程度不足しているかを操作者が把握することができ、棒金の補充処理をより円滑に行うことができる。
【０１４３】
ところで、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【０１４４】
したがって、「表示部４０」で表示されている内容は、貨幣処理装置及びＰＯＳレジスタ３００以外の外部装置（例えば管理装置）の外部表示部で表示されてもよい。「操作部３０」から入力される操作は、貨幣処理装置及びＰＯＳレジスタ３００以外の外部装置の外部操作部から入力されてもよい。「記憶部６０」で記憶されている情報は、貨幣処理装置及びＰＯＳレジスタ３００以外の外部装置の外部記憶部で記憶されてもよい。「制御部１０」で行われている制御は、貨幣処理装置及びＰＯＳレジスタ３００以外の外部装置の外部制御部で行われてもよい。
【符号の説明】
【０１４５】
１０        制御部
３０        操作部
４０        表示部
６０        記憶部
１００      硬貨処理装置
１０１      上位制御部
１０２      硬貨制御部
１０５      硬貨記憶部
１５２      操作表示部
１５５      上位記憶部
２００      紙幣処理装置
２０２      紙幣制御部
２０５      紙幣記憶部
３００      ＰＯＳレジスタ
３０２      ＰＯＳ制御部
３５１      ＰＯＳ表示部
３５２      ＰＯＳ操作部
５００      棒金収納装置
５０２      棒金制御部
５０３      棒金筐体（筐体）
５０６      棒金ドロア（棒金収納庫）
【図１】
0006453062.tif 000002
【図２】
0006453062.tif 000003
【図３】
0006453062.tif 000004
【図４】
0006453062.tif 000005
【図５】
0006453062.tif 000006
【図６】
0006453062.tif 000007
【図７】
0006453062.tif 000008
【図８】
0006453062.tif 000009
【図９】
0006453062.tif 000010
【図１０】
0006453062.tif 000011
【図１１】
0006453062.tif 000012